(57)【特許請求の範囲】
【請求項１】
カメラ及びマイクを備える端末及び運動距離が計算可能な運動器具と連結され、仮想運動場所についての画像を端末に送信するための仮想運動場所提供システムにおいて、
仮想運動場所と関連する位置基盤画像データが保存された画像情報データベースと、
第１端末から入力された運動への参加意志を問う信号を第２端末に送り、第２端末から運動への参加の承諾信号を受け取る参加者設定部と、
第１端末から入力された仮想運動場所と関連する位置基盤画像データ（以下、「運動場所画像データ」という。）を画像情報データベースから選択して第１端末及び第２端末に送信し、第１端末または第２端末から入力された運動開始位置に該当する運動場所画像データを第１端末及び第２端末にディスプレイし、第１運動器具及び第２運動器具により計算された運動距離情報が送信され、運動開始位置から運動距離に見合う分だけ移動した位置（以下、「現在位置」という。）に対応する運動場所画像データを第１端末及び第２端末にディスプレイする画像データ制御部と、
第１端末及び第２端末のカメラにより撮影された、第１端末を使用する第１ユーザ及び第２端末を使用する第２ユーザのビデオデータと、第１端末及び第２端末のマイクにより録音された第１ユーザ及び第２ユーザの声を含むオーディオデータと、が第１端末及び第２端末から送信され、第１ユーザのビデオデータ及びオーディオデータを第２端末に送信し、第２ユーザのビデオデータ及びオーディオデータを第１端末に送信する画像チャット制御部と、
を備え、
第１端末が運動への参加意志を問わなかった第３端末の前記仮想運動場所における現在位置が、第１端末または第２端末の前記仮想運動場所における現在位置に近付くと、画像チャット制御部は、第３端末のカメラにより撮影された、第３端末を使用する第３ユーザのビデオデータと、第３端末のマイクにより録音された第３ユーザの声を含むオーディオデータと、が第３端末から送信され、第３ユーザのビデオデータ及びオーディオデータを第１端末及び第２端末に送信し、第１ユーザ及び第２ユーザのビデオデータ及びオーディオデータを第３端末に送信し、
第３端末が参加者設定部を介して第１端末または第２端末に合流信号を送ると、画像データ制御部は、第１端末及び第２端末の現在位置に対応する運動場所画像データを第３端末にディスプレイすることを特徴とする仮想運動場所提供システム。
【発明の詳細な説明】
【技術分野】
【０００１】
本発明は、仮想運動場所提供システムに係り、さらに詳しくは、ユーザが選択した仮想運動場所をディスプレイし、選択された仮想運動場所のディスプレイを他のユーザと共有しながら一緒に運動を行うようにする、仮想運動場所提供システムに関する。
【背景技術】
【０００２】
運動の重要性については、いくら強調してもしすぎることはない。しかし、運動が面白くなく、つらいから、長い期間続けられないということが問題である。特に、一人で行う運動、例えば、ウオーキング、ランニング、サイクル等は、同伴者なしで一人で目標量を達成しなければならない運動であって、長い期間持続するためには、強い意志が必要となる。一般に、一人で行う運動では、運動器具の前面に位置したモニタから出る映画または放送番組を見ながら退屈を紛らすが、運動時間に合う映画や放送番組を毎度探すことも困難であり、やはりこれも長い期間興味を持ち続けることが難しくなる。
【０００３】
一人で行う運動は、同伴者と一緒に行われるとき、さらに長期間続けられる。このため、並んで位置したトレッドミルやサイクルマシンを同伴者と一緒に用いてもよいが、この場合、話し合いながら運動できる同伴者は、多くても左右の２人である。特に、同伴者が、時間と場所を合わせて運動場所に到着し、並んで位置した空いた運動器具を確保しなければならない。やはり長い期間興味を失わないようにするのには、限界があった。
【発明の概要】
【発明が解決しようとする課題】
【０００４】
本発明の技術的思想に係る仮想運動場所提供システムが解決しようとする技術的課題は、ユーザが選択した仮想運動場所を運動器具周辺のスクリーンにディスプレイし、選択された仮想運動場所内において仮想移動しながら運動できるようにし、選択された仮想運動場所のディスプレイを他のユーザと実時間で共有しながら一緒に運動できるようにする、仮想運動場所提供システムを提供することを目的とする。
【０００５】
本発明の技術的思想に係る仮想運動場所提供システムが解決しようとする技術的課題は、上述した課題に制限されず、上述しなかったまた他の課題は、下記の記載を通じて通常の技術者に明確に理解され得るだろう。
【課題を解決するための手段】
【０００６】
本発明の技術的思想による一実施例に係る仮想運動場所提供システムは、端末及び運動距離が計算可能な運動器具と連結され、仮想運動場所についての画像を端末に送信するための仮想運動場所提供システムであって、仮想運動場所と関連した位置基盤画像データが保存された画像情報データベースと、端末から入力された仮想運動場所と関連した位置基盤画像データ（以下、「運動場所画像データ」という。）を画像情報データベースから選択して端末に送信し、端末から入力された運動開始位置に該当する運動場所画像データを端末にディスプレイし、運動器具により計算された運動距離情報が送信され、運動開始位置から運動距離だけ移動した位置（以下、「現在位置」という。）に対応する運動場所画像データを端末にディスプレイする画像データ制御部と、を備えてもよい。
【０００７】
画像データ制御部は、現在位置が運動場所画像データの経路選択地点に到達したとき、端末に経路選択メッセージを送信し、端末から選択された経路に対応する運動場所画像データを端末に表示してもよい。
【０００８】
画像情報データベースは、仮想運動場所と関連した位置基盤画像データの位置別傾斜度データを含み、仮想運動場所提供システムは、運動器具の負荷調節装置に連結され、現在位置に対応する傾斜度データに相応する負荷を運動器具に加える傾斜活性化部をさらに備えてもよい。
【０００９】
本発明の技術的思想による一実施例に係る仮想運動場所提供システムは、端末及び運動距離が計算可能な運動器具と連結され、仮想運動場所についての画像を端末に送信するための仮想運動場所提供システムであって、仮想運動場所と関連した位置基盤画像データが保存された画像情報データベースと、第１端末から入力された運動参加意志を問う信号を第２端末に送り、第２端末から運動参加承諾信号を受けた参加者設定部と、第１端末から入力された仮想運動場所と関連した位置基盤画像データ（以下、「運動場所画像データ」という。）を画像情報データベースから選択して第１端末及び第２端末に送信し、第１端末及び第２端末から入力された運動開始位置に該当する運動場所画像データを第１端末及び第２端末にディスプレイし、第１運動器具及び第２運動器具により計算された運動距離情報が送信され、運動開始位置から運動距離だけ移動した位置（以下、「現在位置」という。）に対応する運動場所画像データを第１端末及び第２端末にディスプレイする画像データ制御部と、を備えてもよい。
【００１０】
画像データ制御部は、現在位置が運動場所画像データの経路選択地点に到達したとき、第１端末及び第２端末に経路選択メッセージを送信し、第１端末及び第２端末のいずれか一つにより最初に選択された経路に対応する運動場所画像データを第１端末及び第２端末に表示してもよい。
【００１１】
第１端末及び第２端末は、カメラ及びマイクを有し、仮想運動場所提供システムは、第１端末及び第２端末のカメラにより撮影された、第１端末を使用する第１ユーザと第２端末を使用する第２ユーザとのビデオデータと、第１端末及び第２端末のマイクにより録音された、第１ユーザと第２ユーザの声を含むオーディオデータと、が第１端末及び第２端末から送信され、第１ユーザのビデオデータ及びオーディオデータを第２端末に送信し、第２ユーザのビデオデータ及びオーディオデータを第１端末に送信する画像チャット制御部をさらに備えてもよい。
【００１２】
画像情報データベースは、仮想運動場所と関連した位置基盤画像データの位置別傾斜度データを含み、仮想運動場所提供システムは、第１運動器具及び第２運動器具の負荷調節装置に連結され、現在位置に対応する傾斜度データに相応する負荷を第１運動器具及び第２運動器具に加える傾斜活性化部をさらに備えてもよい。
【発明の効果】
【００１３】
本発明の技術的思想による実施例に係る仮想運動場所提供システムは、ユーザが選択した仮想運動場所を運動器具周辺のスクリーンにディスプレイし、選択された仮想運動場所内において仮想移動しながら運動できるようにし、選択された仮想運動場所のディスプレイを他のユーザと実時間で共有しながら一緒に運動できるようにする。
【００１４】
但し、本発明の技術的思想に係る仮想運動場所提供システムが達成することのできる効果は、上述したものに制限されず、上述しなかったまた他の効果は、下記の記載を通じて通常の技術者に明確に理解され得るだろう。
【００１５】
本明細書において引用される図面をさらに充分に理解させるために、各図面の簡単な説明が提供される。
【図面の簡単な説明】
【００１６】
【図１】本発明の一実施例に係る仮想運動場所提供システムの概略的な構成を示す図である。
【図２】本発明の一実施例に係る仮想運動場所提供システムの仮想運動場所の提供方法を示す順序図である。
【図３】本発明の一実施例に係る仮想運動場所提供システムの端末にディスプレイされた仮想運動場所選択画面を示す図である。
【図４】本発明の一実施例に係る仮想運動場所提供システムの端末にディスプレイされた運動開始位置選択画面を示す図である。
【図５】本発明の一実施例に係る仮想運動場所提供システムの端末にディスプレイされた経路変更画面を示す図である。
【図６】本発明の一実施例に係る仮想運動場所提供システムを複数のユーザが使用する場合に適用される仮想運動場所の提供方法を示す順序図である。
【図７】本発明の一実施例に係る仮想運動場所提供システムを複数のユーザが使用する場合、端末にディスプレイされた運動開始位置選択画面を示す図である。
【発明を実施するための形態】
【００１７】
本発明は、多様な変更が加えられてもよく、様々な実施例を有してもよいので、特定の実施例を図面に例示し、それを詳細な説明を通じて詳述しようとする。しかしながら、これは、本発明を特定の実施形態に限定しようとするものではなく、本発明は、本発明の思想及び技術範囲に含まれる全ての変更、均等物乃至代替物を含むものと理解されなければならない。
【００１８】
本発明を説明するにあたって、関連した公知技術についての具体的な説明が本発明の要旨を不要に曖昧にする恐れがあると判断される場合、その詳細な説明を省略する。また、本明細書の説明過程において用いられる数字（例えば、第１、第２等）は、一つの構成要素を他の構成要素と区分するための識別記号に過ぎない。
【００１９】
また、本明細書において、一構成要素が他の構成要素と「連結される」または「接続される」と言われるときは、前記一構成要素が前記他の構成要素と直接連結されまたは直接接続されてもよいが、特に断りのない限り、中間にまた他の構成要素を介して連結されまたは接続されてもよいと理解されなければならない。
【００２０】
また、本明細書において、「〜部」と表現される構成要素は、２つ以上の構成要素が１つの構成要素に統合され、または１つの構成要素がさらに細分化した機能別に２つ以上に分化されてもよい。また、後述する構成要素のそれぞれは、自分が担当する主機能以外にも、他の構成要素が担当する機能の一部または全部の機能をさらに行ってもよく、構成要素のそれぞれが担当する主機能の一部の機能を、他の構成要素が全部担当して行ってもよいことは勿論である。
【００２１】
以下、本発明の技術的思想による実施例について順に詳述する。
【００２２】
図１は、本発明の一実施例に係る仮想運動場所提供システムの概略的な構成を示す図である。図２は、本発明の一実施例に係る仮想運動場所提供システムの仮想運動場所の提供方法を示す順序図である。
【００２３】
本発明の一実施例に係る仮想運動場所提供システム１００は、少なくとも一つの端末１、２及び運動距離が計算可能な少なくとも一つの運動器具１１、１２とネットワークを介して連結され、仮想運動場所についての画像を端末に送信する機能を行う。
【００２４】
ここで、ネットワークは、端末、運動器具、及びサーバのようなそれぞれのノードの相互間において情報交換が可能な連結構造を意味するものであって、これらのネットワークの一例としては、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース；Ｂｌｕｅｔｏｏｔｈ（登録商標）ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限定されない。
【００２５】
会員の端末１、２は、ネットワークを介して遠隔地のサーバや端末にアクセス可能なコンピュータで具現され得る。ここで、コンピュータは、例えば、ウェブブラウザ（ＷＥＢ  Ｂｒｏｗｓｅｒ）が搭載されたノート型パソコン、デスクトップ（Ｄｅｓｋｔｏｐ）、ラップトップ（Ｌａｐｔｏｐ）等が挙げられる。また、会員の端末１，２は、ネットワークを介して遠隔地のサーバや端末にアクセス可能な端末で具現され得る。会員の端末は、例えば、携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、スマートパッド（ｓｍａｒｔｐａｄ）、タブレットＰＣ（Ｔａｂｌｅｔ  ＰＣ）などのような全種のハンドヘルド（ｈａｎｄｈｅｌｄ）基盤の無線通信装置を含んでもよい。端末１、２は、運動器具１１，１２の前部、側部、上部などに設けられ、画像をディスプレイできる大型モニタを有することが好ましい。また、端末１，２は、カメラ及びマイクを有することが好ましい。運動器具１１，１２は、トレッドミル、サイクルマシンのような運動器具であって、運動により移動距離が計算される方式の器具は、全て適用可能である。
【００２６】
仮想運動場所提供システム１００は、画像情報データベース１１０、画像データ制御部１２０、参加者設定部１３０、画像チャット制御部１４０、及び傾斜活性化部１５０を備えてもよい。
【００２７】
画像情報データベース１１０は、データ保存サーバとして、仮想運動場所と関連した位置基盤画像データが保存される。例えば、ＧＰＳ座標に基づいて各座標値毎に３６０度カメラにより撮影された画像データが保存されてもよく、全世界どこでも仮想運動場所となり得る。また、画像情報データベース１１０は、仮想運動場所と関連した位置基盤画像データの位置別傾斜度データを含んでもよい。例えば、ＧＰＳ座標に基づいて３６０度全方向に対する傾斜が測定された傾斜度データが保存されてもよい。
【００２８】
図３は、本発明の一実施例に係る仮想運動場所提供システムの端末にディスプレイされた仮想運動場所選択画面を示す図である。図４は、本発明の一実施例に係る仮想運動場所提供システムの端末にディスプレイされた運動開始位置選択画面を示す図である。本発明は、図示の構成に限定されるものではない。
【００２９】
第１ユーザは、自分の第１端末１を介して画像情報データベース１１０にアクセスし、仮想運動場所目録１ａを確認してから（Ｓ１１０）、自分が運動したい仮想運動場所を選択することができる。第１端末１では、第１ユーザの選択を助けるために、仮想運動場所目録１ａに記載された仮想運動場所についての写真１ｂ及び情報１ｃを画像情報データベース１１０から送信されてディスプレイする。
【００３０】
仮想運動場所としては、全世界の全ての運動可能な道が含まれ得る。韓国内の仮想運動場所としては、清渓川（チョンゲチョン）夜間の散歩路、雪岳山（ソラクサン）の土王城（トワンソン）の滝に行く道、ＤＭＺパンチボウル・トゥルレキル（周回遊歩道）（モンメッジェキル）、南漢山城トゥルレキル（周回遊歩道）５コース（城郭道）等が挙げられる。
【００３１】
仮想運動場所についての情報１ｃには、当該運動場所に関する情報（歴史、関連事件、長さ、難易度等）が含まれてもよい。仮想運動場所に関する情報１ｃには、ユーザの経験をポスト可能な入力窓が設定されてもよく、ユーザがポストした経験をディスプレイすることができる。第１ユーザは、仮想運動場所についての情報１ｃに設けられた入力窓に自分の経験をポストし、または他のユーザがポストした経験を読み取ることができる。このようなポスティングは、他のＳＮＳ（ｓｏｃｉａｌ  ｎｅｔｗｏｒｋｉｎｇ  ｓｅｒｖｉｃｅ）プログラム（例えば、フェイスブック、インスタグラム、カカオストーリー、ポッドキャスト等）に共有されてもよく、仮想運動場所についての情報１ｃに記載された内容とポスティングが一緒に共有されてもよい。
【００３２】
第１ユーザが仮想運動場所を選択すると、第１端末１には、運動開始位置を選択可能な画面１ｄがディスプレイされる。仮想運動場所において運動可能な経路が表示され、ユーザは、運動開始位置１ｅを選択することができる。ユーザが運動開始位置１ｅを選択すると、運動開始位置１ｅから見える前方の風景１ｆが示される。風景１ｆは、運動方向に応じて変更される。
【００３３】
画像データ制御部１２０は、第１端末１から仮想運動場所及び運動開始位置が送信され（Ｓ１２０）、仮想運動場所と関連した位置基盤画像データ（以下、「運動場所画像データ」という。）を画像情報データベース１１０から選択して第１端末１に送信する（Ｓ１３０）。例えば、画像データ制御部１２０は、第１ユーザが選択した仮想運動場所のＧＰＳ座標に対応する運動場所画像データを選択して第１端末１に送信し、第１端末には、運動場所画像データ１ｆがディスプレイされる。図４には、運動場所画像データ１ｆが小さな画面として示されているが、全体画面に表示されるモードへの切替えが可能である。
【００３４】
画像データ制御部１２０は、第１運動器具１１により計算された運動距離情報を第１運動器具１１と連結された第１端末１から送信され（Ｓ１４０）、運動開始位置から運動距離だけ移動した位置（以下、「現在位置」という。）に対応する運動場所画像データを第１端末１にディスプレイすることができる（Ｓ１５０）。例えば、画像データ制御部１２０は、トレッドミルまたはサイクルマシンに設けられている公知の距離計算部と有・無線方式により連結された第１端末１から運動距離情報が得られ、運動距離情報が反映された現在位置のＧＰＳ座標に対応する運動場所画像データを画像情報データベース１１０から選択して第１端末１に送信し、第１端末１には、現在位置についての運動場所画像データ１ｆがディスプレイされる。
【００３５】
このような方式で、第１ユーザが第１運動器具で運動することにより、運動場所画像データが実時間で更新され続け、まるで第１ユーザが仮想運動場所に入って運動するように、第１ユーザに第１端末１から見える風景が運動距離に対応して変わってくる。
【００３６】
傾斜活性化部１５０は、第１運動器具１１の負荷調節装置に有・無線で連結された第１運動器具１１を介して、現在位置に対応する傾斜度データに相応する負荷を第１運動器具１１に加え、または現在位置に対応する傾斜度データに相応する傾斜度を第１運動器具１１に適用させることができる。例えば、傾斜が大きくなると、サイクルマシンの負荷を大きくし、またはトレッドミルの踏み台の傾斜を大きくして、第１ユーザの運動をさらにつらくすることができる。
【００３７】
図５は、本発明の一実施例に係る仮想運動場所提供システムの端末にディスプレイされた経路変更画面を示す図である。
【００３８】
第１ユーザは、第１運動器具において、最初に決まった経路通りに運動しているうちに、新たな経路に変更することができる。画像データ制御部１２０は、現在位置が運動場所画像データの経路選択地点（例えば、分かれ道）に到達したとき、第１端末１に経路変更が可能であるとの情報と選択可能な経路を含む経路選択メッセージを送信し、第１ユーザは、第１端末１を介して希望の経路（例えば、図５の１番矢印または２番矢印）を選択することができる。第１端末１により選択された経路に対応する運動場所画像データを第１端末１に表示することができる。
【００３９】
図６は、本発明の一実施例に係る仮想運動場所提供システムを複数のユーザが使用する場合に適用される仮想運動場所の提供方法を示す順序図である。図７は、本発明の一実施例に係る仮想運動場所提供システムを複数のユーザが使用する場合、端末にディスプレイされた運動開始位置選択画面を示す図である。
【００４０】
第１ユーザは、自分の第１端末１を介して画像情報データベース１１０にアクセスし、仮想運動場所目録１ａを確認してから（Ｓ２１０）、自分が運動したい仮想運動場所を選択することができる。図３に示すように、第１端末１では、第１ユーザの選択を助けるために、仮想運動場所目録１ａに記載された仮想運動場所についての写真１ｂ及び情報１ｃを画像情報データベース１１０から送信されてディスプレイする。
【００４１】
仮想運動場所としては、全世界の全ての運動可能な道が含まれ得る。韓国内の仮想運動場所としては、清渓川（チョンゲチョン）夜間の散歩路、雪岳山（ソラクサン）の土王城（トワンソン）の滝に行く道、ＤＭＺパンチボウル・トゥルレキル（周回遊歩道）（モンメッジェキル）、南漢山城トゥルレキル（周回遊歩道）５コース（城郭道）等が挙げられる。
【００４２】
仮想運動場所に関する情報１ｃには、当該運動場所に関する情報（歴史、関連事件、長さ、難易度等）が含まれてもよい。仮想運動場所についての情報１ｃには、ユーザの経験をポスト可能な入力窓が設定されてもよく、ユーザがポストした経験をディスプレイすることができる。第１ユーザは、仮想運動場所についての情報１ｃに設けられた入力窓に自分の経験をポストし、または他のユーザがポストした経験を読み取ることができる。このようなポスティングは、他のＳＮＳ（ｓｏｃｉａｌ  ｎｅｔｗｏｒｋｉｎｇ  ｓｅｒｖｉｃｅ）プログラム（例えば、フェイスブック、インスタグラム、カカオストーリー、ポッドキャスト等）に共有されてもよく、仮想運動場所についての情報１ｃに記載された内容とポスティングが一緒に共有されてもよい。
【００４３】
第１ユーザが仮想運動場所を選択すると、図４に示すように、第１端末１には、運動開始位置を選択可能な画面１ｄがディスプレイされる。仮想運動場所において運動可能な経路が表示され、ユーザは、運動開始位置１ｅを選択することができる（Ｓ２２０）。ユーザが運動開始位置１ｅを選択すると、運動開始位置１ｅから見える前方の風景１ｆが示される。
【００４４】
第１ユーザは、仮想運動場所で一緒に運動する同伴者を１つ以上選択することができる。第１ユーザは、第１端末１を介して一緒に運動する同伴者として第２ユーザを選択し、第１端末１は、参加者設定部１３０へ、第２ユーザを運動同伴者として選択したことを知らせる信号を送信する（Ｓ２３０）。第２ユーザは、外国に住む人であってもよく、同一の空間で運動している人であってもよい。参加者設定部１３０は、仮想運動場所提供システムにアクセスしているユーザの目録を第１端末１に送信して、第１ユーザが一緒に運動する同伴者を選択しやすくすることができる。
【００４５】
運動参加意志を問う信号は、参加者設定部１３０により第２ユーザの第２端末２に送信され（Ｓ２４０）、第２ユーザは、第２端末２を介して運動参加承諾信号を参加者設定部１３０に送り（Ｓ２５０）、または運動参加拒絶信号を参加者設定部１３０に送信することができる。参加者設定部１３０が第２端末２から運動参加承諾信号を受け付けると、第１端末１には、第２端末２により撮影された第２ユーザの姿１ｇがディスプレイされる。
【００４６】
図１及び図４では、仮想運動場所提供システム１００が２つの端末１，２と連結されたものを示しているが、これは、本発明の便宜のために一例を挙げたものであり、３つ以上の端末が仮想運動場所提供システム１００と連結されることも当然可能である。これにより、仮想運動場所提供システム１００は、同好会のような集まりの団体運動に用いられてもよく、国内外のスポーツ、医学、エンターテイメント、政治、文化芸術分野の有名人などのうち、運動参加承諾をした有名人が、多数のユーザと一緒に運動に参加する方式が用いられてもよい。また、参加者設定部１３０は、仮想のキャラクタ（有名なアニメーションキャラクタや、本人または有名人の姿にふんしたキャラクタ、仮想のトレーナーキャラクタ等）を運動する同伴者の目録に含ませて第１端末１に提供してもよい。このような方式は、ユーザの興味と参加度を大いに高めることができる。画像チャット制御部１４０は、第１端末１のカメラにより撮影された第１ユーザの姿を含むビデオデータ及び第１端末１のマイクにより録音された第１ユーザの声を含むオーディオデータが第１端末１から送信され、第２端末２のカメラにより撮影された第２ユーザの姿を含むビデオデータ及び第２端末２のマイクにより録音された第２ユーザの声を含むオーディオデータが第２端末２から送信され得る。画像チャット制御部１４０は、第１ユーザのビデオデータ及びオーディオデータを第２端末２に送信し、第２ユーザのビデオデータ及びオーディオデータを第１端末１に送信することができる（Ｓ２６０）。
【００４７】
運動の同伴者として、仮想のキャラクタが選択された場合は、画像チャット制御部１４０は、選択されたキャラクタのビデオデータ及びオーディオデータを第１端末１に送信することができる。この場合、仮想のキャラクタは、人工知能により対話及び行動を行うことができるようにしてもよい。
【００４８】
また、画像チャット制御部１４０は、端末１、２に背景音楽（歌謡、ポップソング、クラシック等）を送信し、背景音楽と一緒に運動可能にしている。
【００４９】
画像データ制御部１２０は、第１端末１から仮想運動場所及び運動開始位置が送信されてから、運動場所画像データを画像情報データベース１１０から選択して第１端末１及び第２端末２に送信する（Ｓ２７０）。例えば、画像データ制御部１２０は、第１ユーザが選択した仮想運動場所のＧＰＳ座標に対応する運動場所画像データを選択して第１端末１及び第２端末２に送信し、第１端末１及び第２端末２には、運動場所画像データ１ｆがディスプレイされる。図７には、運動場所画像データ１ｆ及び第２ユーザ１ｇが小さな画面として示されているが、これらのうち、希望の画面が全体画面に表示されるモードへの切替えが可能である。
【００５０】
画像データ制御部１２０は、第１運動器具１１により計算された運動距離情報が送信され（Ｓ２８０）、現在位置に対応する運動場所画像データを第１端末１及び第２端末２にディスプレイすることができる（Ｓ２９０）。例えば、画像データ制御部１２０は、トレッドミルまたはサイクルマシンに設けられている公知の距離計算部と有・無線方式により連結された第１端末１及び第２端末２から運動距離情報が得られ、運動距離情報が反映された現在位置のＧＰＳ座標に対応する運動場所画像データを画像情報データベース１１０から選択して第１端末１及び第２端末２に送信し、第１端末１及び第２端末２には、現在位置についての運動場所画像データ１ｆがディスプレイされる。
【００５１】
このような方式で、第１ユーザ及び第２ユーザがそれぞれ第１運動器具及び第２運動器具で運動することにより、運動場所画像データが変わり続け、まるで第１ユーザ及び第２ユーザが仮想運動場所に入って一緒に運動するように、第１ユーザ及び第２ユーザに第１端末１及び第２端末２から見られる風景が運動距離に対応して変わってくる。
【００５２】
第１ユーザと第２ユーザの運動速度の差により第１ユーザの現在位置及び第２ユーザの現在位置の差が発生することがあり、この場合、第１端末１及び第２端末２にそれぞれ異なる運動場所画像データがディスプレイされ得る。
【００５３】
傾斜活性化部１５０は、第１運動器具１１及び第２運動器具１２の負荷調節装置に有・無線で連結された第１端末１を介して、現在位置に対応する傾斜度データに相応する負荷を第１運動器具１１及び第２運動器具１２に加え、または現在位置に対応する傾斜度データに相応する傾斜度を第１運動器具１１及び第２運動器具１２に適用させることができる。例えば、傾斜が大きくなると、サイクルマシンの負荷を大きくし、またはトレッドミルの踏み台の傾斜を大きくして、第１ユーザ及び第２ユーザの運動をさらにつらくすることができる。
【００５４】
一方、第１ユーザ及び第２ユーザは、第１端末１において、最初に決まった経路通りに運動しているうちに、新たな経路に変更することができる。画像データ制御部１２０は、現在位置が運動場所画像データの経路選択地点（例えば、分かれ道）に到達したとき、第１端末１及び／または第２端末２に、経路変更が可能であるとの情報と選択可能な経路を含む経路選択メッセージを送信し、第１ユーザ及び第２ユーザのいずれか一人が、第１端末１または第２端末２を介して希望の経路（例えば、図５の１番矢印または２番矢印）を選択することができる。第１端末１及び第２端末２のいずれか一つにより最初に選択された経路に対応する運動場所画像データを第１端末１及び第２端末２に表示することができ、これにより、先に分かれ道に到着したユーザが、経路を決める優先権を有することになり、競争を通じて運動への興味が増すという効果が得られる。
【００５５】
また、画像チャット制御部１４０は、仮想運動場所提供システム１００にアクセスし、運動を行う他のユーザの現在位置が、第１ユーザまたは第２ユーザの現在位置に近づくと、第１端末１及び第２端末２に他のユーザの姿をディスプレイして声を出力し、第１ユーザと第２ユーザが運動している空間に、他のユーザが運動していることを知らせることにより、ユーザ間の交流を活発にし、ユーザに仮想移動運動の楽しみを与え、仮想運動空間にさらに没入するようにすることができる。このように仮想運動空間で出会ったユーザは、参加者設定部１３０に合流信号を送信して一緒に移動することができる。この場合、ユーザの端末には、同一の運動場所画像データがディスプレイされる。
【００５６】
仮想運動場所提供システム１００は、一緒に運動するユーザにイベントを提供することができる。画像データ制御部１２０は、一緒に運動するユーザに一定の区間（最初の経路から外れた経路が好ましい）での先着順のイベントを提供し、ユーザは、自分の分かれ道毎に自ら経路を選択し、全速力で走って目標地点に先に到着するように誘導される。このイベントが始まると、ユーザの端末には、独立の運動場所画像データのディスプレイが行われ、目標地点に最初に到着したユーザには、仮想運動場所提供システム１００の使用期間を長くしてくれるなどの補償をしてもよい。目標地点にユーザのみんなが到着すると、画像データ制御部１２０は、最初のようにユーザの端末に同一の運動場所画像データを送信して、また一緒に運動を行うことができるようにする。
【符号の説明】
【００５７】
１１０  画像情報データベース、１２０  画像データ制御部、１３０  参加者設定部、１４０  画像チャット制御部、１５０  傾斜活性化部。
【要約】
本発明は、ユーザが選択した仮想運動場所をディスプレイし、選択された仮想運動場所のディスプレイを他のユーザと共有しながら一緒に運動を行うようにする、仮想運動場所提供システムに関し、仮想運動場所と関連した位置基盤画像データが保存された画像情報データベースと、端末から入力された仮想運動場所と関連した位置基盤画像データを画像情報データベースから選択して端末に送信し、端末から入力された運動開始位置に該当する運動場所画像データを端末にディスプレイし、運動器具により計算された運動距離情報が送信され、運動開始位置から運動距離だけ移動した位置に対応する運動場所画像データを端末にディスプレイする画像データ制御部と、を備えることを特徴とする。【図１】
0006685403.tif 000002
【図２】
0006685403.tif 000003
【図３】
0006685403.tif 000004
【図４】
0006685403.tif 000005
【図５】
0006685403.tif 000006
【図６】
0006685403.tif 000007
【図７】
0006685403.tif 000008